(57)【要約】【課題】フォトラリーを行い、ラリー終了後に撮影画像を利用者に提供する。【解決手段】画像提供システムは、利用者の撮影を行う複数の撮影システム４０と、撮影システム４０で撮影された画像の販売を行う画像販売装置５と、複数の撮影システム４０及び画像販売装置５と通信可能に接続されたサーバ１０と、を備える。撮影システム４０は、識別情報の生成及び前記識別情報を印字したチケットＴの発券、又は利用者に提示されたチケットＴからの識別情報の読み取りを行い、利用者を撮影した撮影画像データと、生成した識別情報又はチケットＴから読み取った識別情報とをサーバ１０へ送信する。画像販売装置５は、利用者に提示されたチケットＴから識別情報を読み取り、読み取った識別情報に対応する画像データをサーバから取得１０し、前記画像データ及び／又は前記画像データのプリント物の購入注文を受け付ける。【選択図】図１
2019061445.tif 000002
【特許請求の範囲】
【請求項１】
利用者の撮影を行う複数の撮影システムと、
前記撮影システムで撮影された画像の販売を行う画像販売装置と、
前記複数の撮影システム及び前記画像販売装置と通信可能に接続されたサーバと、
を備え、
各撮影システムは、識別情報の生成及び前記識別情報を印字したチケットの発券、又は利用者に提示されたチケットからの識別情報の読み取りを行い、利用者を撮影した撮影画像データと、生成した識別情報又はチケットから読み取った識別情報とを前記サーバへ送信し、
前記サーバは、前記撮影システムから受信した前記撮影画像データと前記識別情報とを対応付けて保存し、
前記画像販売装置は、利用者に提示されたチケットから識別情報を読み取り、読み取った識別情報に対応する画像データを前記サーバから取得し、前記画像データ及び／又は前記画像データのプリント物の購入注文を受け付け、プリント物の購入注文を受け付けた画像データを用紙にプリントして出力し、前記画像データの購入注文を受け付けた画像を前記サーバに通知することを特徴とする画像提供システム。
【請求項２】
前記撮影システムは、利用者の撮影を行うと、プリント用画像データと、前記プリント用画像データよりもデータサイズの小さいプレビュー用画像データとを生成し、前記プリント用画像データ及び前記プレビュー用画像データを前記サーバへ送信し、
前記画像販売装置は、前記サーバから、チケットから読み取った識別情報に対応するプレビュー用画像データと、プリント物の購入注文を受け付けた画像のプリント用画像データとを取得することを特徴とする請求項１に記載の画像提供システム。
【請求項３】
前記画像販売装置は、利用者に提示された複数のチケットから識別情報を読み取り、読み取った複数の識別情報に対応する画像データを前記サーバから取得することを特徴とする請求項１又は２に記載の画像提供システム。
【請求項４】
前記サーバは、前記画像販売装置から、画像データの購入注文を受け付けた画像を通知されると、通知された画像の画像データをダウンロード可能データとして設定することを特徴とする請求項１乃至３のいずれかに記載の画像提供システム。
【請求項５】
前記撮影システムは、前記サーバが提供する画像データダウンロードサイトのＵＲＬをコード化したコード画像を印字したチケットを発券し、前記ＵＲＬは前記識別情報を含むことを特徴とする請求項４に記載の画像提供システム。
【請求項６】
前記サーバは、前記チケットの前記コード画像を読み取ったユーザ端末からアクセスされると、アクセスしてきた利用者の識別情報を取得し、この識別情報と同じ識別情報が紐付けられている画像データのうち、ダウンロード可能になっている画像データを前記ユーザ端末へ送信することを特徴とする請求項５に記載の画像提供システム。
【発明の詳細な説明】
【技術分野】
【０００１】
本発明は、観光地やテーマパーク等において様々な場所に設置された複数台の撮影装置でユーザを撮影し、撮影画像のプリント物やデータを提供する画像提供システムに関する。
【背景技術】
【０００２】
テーマパーク等では、スタッフが入園客を順に撮影し、プリントした写真をオリジナルの台紙に貼り付けて、入園客に販売するサービスが行われている。
【０００３】
特許文献１には、テーマパーク内に複数の自動撮影装置を設置し、顧客が自動撮影装置の設置場所毎に対価を支払い撮影を行うと、撮影画像データが画像出力センタ内のプリントシステムに送られて写真プリントが作製される画像撮影出力システムが開示されている。顧客は、画像出力センタの窓口で写真プリントを受け取ることができる。しかし、撮影の度に支払いを行う必要があるため、手間がかかっていた。
【先行技術文献】
【特許文献】
【０００４】
【特許文献１】特許第３９１３４５３号公報
【発明の概要】
【発明が解決しようとする課題】
【０００５】
本発明は、観光地やレジャー施設等において複数箇所で利用者を撮影するフォトラリーを行い、ラリー終了後に撮影画像を利用者に提供する画像提供システムを提供することを課題とする。
【課題を解決するための手段】
【０００６】
本発明による画像提供システムは、利用者の撮影を行う複数の撮影システムと、前記撮影システムで撮影された画像の販売を行う画像販売装置と、前記複数の撮影システム及び前記画像販売装置と通信可能に接続されたサーバと、を備え、各撮影システムは、識別情報の生成及び前記識別情報を印字したチケットの発券、又は利用者に提示されたチケットからの識別情報の読み取りを行い、利用者を撮影した撮影画像データと、生成した識別情報又はチケットから読み取った識別情報とを前記サーバへ送信し、前記サーバは、前記撮影システムから受信した前記撮影画像データと前記識別情報とを対応付けて保存し、前記画像販売装置は、利用者に提示されたチケットから識別情報を読み取り、読み取った識別情報に対応する画像データを前記サーバから取得し、前記画像データ及び／又は前記画像データのプリント物の購入注文を受け付け、プリント物の購入注文を受け付けた画像データを用紙にプリントして出力し、前記画像データの購入注文を受け付けた画像を前記サーバに通知するものである。
【０００７】
本発明の一態様では、前記撮影システムは、利用者の撮影を行うと、プリント用画像データと、前記プリント用画像データよりもデータサイズの小さいプレビュー用画像データとを生成し、前記プリント用画像データ及び前記プレビュー用画像データを前記サーバへ送信し、前記画像販売装置は、前記サーバから、チケットから読み取った識別情報に対応するプレビュー用画像データと、プリント物の購入注文を受け付けた画像のプリント用画像データとを取得する。
【０００８】
本発明の一態様では、前記画像販売装置は、利用者に提示された複数のチケットから識別情報を読み取り、読み取った複数の識別情報に対応する画像データを前記サーバから取得する。
【０００９】
本発明の一態様では、前記サーバは、前記画像販売装置から、画像データの購入注文を受け付けた画像を通知されると、通知された画像の画像データをダウンロード可能データとして設定する。
【００１０】
本発明の一態様では、前記撮影システムは、前記サーバが提供する画像データダウンロードサイトのＵＲＬをコード化したコード画像を印字したチケットを発券し、前記ＵＲＬは前記識別情報を含む。
【００１１】
本発明の一態様では、前記サーバは、前記チケットの前記コード画像を読み取ったユーザ端末からアクセスされると、アクセスしてきた利用者の識別情報を取得し、この識別情報と同じ識別情報が紐付けられている画像データのうち、ダウンロード可能になっている画像データを前記ユーザ端末へ送信する。
【発明の効果】
【００１２】
本発明によれば、観光地やレジャー施設等において複数箇所で利用者を撮影するフォトラリーを行い、ラリー終了後に撮影画像を提供する。ラリー終了後に、画像販売装置が利用者から画像データやプリント物の注文を受け付け、課金処理を行うため、撮影の度に支払いを行う必要がない。
【図面の簡単な説明】
【００１３】
【図１】本発明の実施形態に係る画像提供システムの設置例を示す図である。
【図２】フォトラリーで使用するチケットの一例を示す図である。
【図３】同実施形態に係る画像提供システムのブロック構成図である。
【図４】同実施形態に係る撮影システムの概略外観図である。
【図５】同実施形態に係る撮影システムのブロック構成図である。
【図６】同実施形態に係る撮影システムにおける撮影処理を説明するフローチャートである。
【図７】同実施形態に係る画像販売装置の斜視図である。
【図８】同実施形態に係る画像販売装置のブロック構成図である。
【図９】画像販売プログラムを実行することで実現される機能ブロック図である。
【図１０】同実施形態に係る画像販売方法を説明するフローチャートである。
【発明を実施するための形態】
【００１４】
以下、本発明の実施の形態を図面に基づいて説明する。
【００１５】
本実施形態に係る画像提供システムは、観光地やレジャー施設等に設置されるものであり、撮影システムを様々な場所に設置し、利用者（観光客）は撮影システムの設置箇所を巡って写真撮影するフォトラリーを行う。フォトラリー終了後、撮影した画像データをプリント出力して、利用者に提供する。また、利用者は、画像データをダウンロードすることができる。
【００１６】
図１は画像提供システムをテーマパークに設置した例を示す。図２は、フォトラリーに使用するチケットＴを示す。図３は画像提供システムのブロック構成を示す。画像提供システムは、画像販売装置５、サーバ１０、及び複数の撮影システム４０を備える。画像販売装置５は、テーマパークの入退場ゲートがある管理センタ１に設けられる。撮影システム４０は、テーマパーク内の様々な撮影スポットに設置される。
【００１７】
撮影スポットでは、チケットＴを所有しているか否かが確認される。利用者がチケットＴを所有していない場合、撮影システム４０はカメラ４１（図４、図５参照）で利用者を撮影した後、利用者を一意に特定する識別情報を生成し、この識別情報を示す二次元コードＱがプリントされたチケットＴを発行する。
【００１８】
二次元コードＱは、撮影画像データのダウンロードサイトにアクセスするためのＵＲＬを示すものであり、このＵＲＬの一部が識別情報になっている。ダウンロードサイトにログインするためのパスコードＰも撮影システム４０で生成され、チケットＴに印字される。
【００１９】
撮影システム４０は、生成した識別情報及びパスコードと、撮影画像データとをサーバ１０へ送信する。
【００２０】
利用者は、最初の撮影スポットで撮影を行うと、チケットＴを受け取ることができる。以降の撮影スポットでは、利用者は、撮影システム４０の読取機４４（図４、図５参照）にチケットＴをかざす。読取機４４がチケットＴの二次元コードＱを読み取ると、撮影システム４０は、利用者の撮影を行う。撮影システム４０は、二次元コードＱを読み取って取得した識別情報と、撮影画像データとをサーバ１０へ送信する。
【００２１】
サーバ１０は、パーク内の複数の撮影システム４０から送信された画像データを、識別情報と対応付けて保存する。
【００２２】
フォトラリー終了後、利用者は画像販売装置５にチケットＴをかざす。画像販売装置５に設けられた読取部５３（図７、図８参照）がチケットＴの二次元コードＱを読み取り、識別情報をサーバ１０に通知する。
【００２３】
サーバ１０は、通知された識別情報に対応する画像データを画像販売装置５へ送信する。画像販売装置５は、サーバ１０から受信した画像の一覧を表示する。利用者は、購入する画像を選択し、画像販売装置５に代金を投入する。画像販売装置５は、選択された画像を印画紙にプリントして、印画物を作製する。
【００２４】
また、画像販売装置５は、購入された画像をサーバ１０に通知する。サーバ１０は、通知された購入画像をダウンロード可能に設定する。利用者が、スマートフォン等のユーザ端末でチケットＴの二次元コードＱを読み取りダウンロードサイトにアクセスし、パスコードＰを入力すると、購入画像のデータをダウンロードすることが可能となる。
【００２５】
このように、本実施形態によれば、利用者は、複数の撮影スポットで撮影した画像のプリント物や画像データを入手することができる。カメラ４１が高い建物の上部等に設置されている場合は、利用者が三脚等を持参していても撮ることのできない特別な撮影角度の画像となる。また、各撮影スポットでチケットＴを発行できるため、利用者は、いつでもフォトラリーに参加することができる。
【００２６】
利用者が複数の撮影スポットでチケットＴを発行し、複数のチケットＴを所有している場合がある。例えば、１つのグループ（例えば家族）がパーク内で一時的に複数に分かれて別行動し、撮影スポットで別々にチケットＴを発行した場合、１グループが複数のチケットＴを所有する。
【００２７】
このような場合、画像販売装置５に複数のチケットＴを連続してかざす。画像販売装置５は、複数のチケットＴの二次元コードＱを読み取り、複数の識別情報をサーバ１０に通知する。サーバ１０は、通知された複数の識別情報に対応する画像データを画像販売装置５へ送信する。これにより、１グループが複数のチケットＴを所有している場合でも、撮影画像を１度に閲覧・選択・購入することができ、効率的である。
【００２８】
サーバ１０は、１つの画像データに、同グループに属する複数の識別情報を対応付ける。これにより、利用者が、ユーザ端末を用いて、複数のチケットＴのうち、どのチケットＴの二次元コードＱを読み取ってダウンロードサイトにアクセスしても、購入画像のデータをダウンロードすることが可能となる。
【００２９】
次に、画像提供システムの各部の構成について説明する。図２に示すように、サーバ１０は、通信処理部１１、検索部１２、ダウンロード可否設定部１３、ダウンロードサイト提供部１４及び記憶部１５を有する。サーバ１０は、ＣＰＵ（Central  Processing  Unit）、ＲＡＭ（Random  Access  Memory）、通信モジュール、半導体メモリ等の補助記憶装置を備えるコンピュータで構成され、各機能はＣＰＵがプログラムを実行することで実現される。
【００３０】
通信処理部１１は、画像販売装置５や各撮影システム４０との通信処理を行う。例えば、通信処理部１１は、撮影システム４０から、識別情報及び画像データを受信する。通信処理部１１は、識別情報及び画像データを対応付けて記憶部１５に格納する。画像データは、プリント用の大サイズの画像データと、プレビュー用の小サイズの画像データとを含む。
【００３１】
通信処理部１１は、チケットＴを発券した（識別情報を生成した）撮影システム４０からは、識別情報及び画像データと共に、ダウンロードサイトログイン用のパスコードも受信し、識別情報に対応付けて記憶部１５に格納する。
【００３２】
検索部１２は、画像販売装置５から識別情報が通知されると、記憶部１５から、対応するプレビュー用画像データを検索して取り出す。取り出されたプレビュー用画像データは、通信処理部１１により画像販売装置５へ送信される。
【００３３】
検索部１２は、画像販売装置５から購入画像が通知されると、記憶部１５から、対応するプリント用画像データを取り出す。取り出されたプリント用画像データは、通信処理部１１により画像販売装置５へ送信される。
【００３４】
ダウンロード可否設定部１３は、画像販売装置５から購入画像が通知されると、購入画像に対応する画像データに、ダウンロード可能なことを示すフラグを立て、データのダウンロードが可能であると設定する。
【００３５】
ダウンロードサイト提供部１４は、画像データダウンロード用のＷｅｂサイトを提供する。ダウンロードサイト提供部１４は、チケットＴの二次元コードＱを読み取ってアクセスしてきたユーザ端末に対し、パスコードの入力を要求する。二次元コードＱが示すＵＲＬには識別情報が含まれているため、ダウンロードサイト提供部１４は、この識別情報に対応するパスコードと、入力されたパスコードとを比較し、認証を行う。
【００３６】
入力されたパスコードが正しい場合、ダウンロードサイト提供部１４は、この識別情報に対応する画像データのうち、フラグの立っているダウンロード可能な画像データの一覧画面をユーザ端末へ送信する。ダウンロードサイト提供部１４は、一覧画面で選択された画像のプリント用画像データをユーザ端末へ送信する。
【００３７】
図４は撮影システム４０の概略外観図であり、図５は撮影システム４０の構成を示すブロック図である。撮影システム４０は、カメラ（撮影部）４１、タッチパネル４２、スピーカ４３、読取機４４、発券機４５、及び制御装置４６を備える。制御装置４６は、画像処理部４０１、入力処理部４０２、出力処理部４０３、コード生成部４０４及び通信部４０５を有する。制御装置４６は、ＣＰＵ、ＲＡＭ、通信モジュール、補助記憶装置等を有するコンピュータによって構成され、制御装置４５の各機能は、ＣＰＵがプログラムを実行することで実現される。
【００３８】
カメラ４１は、例えばデジタルカメラであり、利用者を撮影して撮影画像データを生成する。図４では、タッチパネル４２の上にカメラ４１を設置した例を示しているが、カメラ４１の設置場所はこれに限定されず、建物の上部に設置して、利用者を上方から撮影するようにしてもよい。
【００３９】
画像処理部４０１は、カメラ４１から撮影画像データを受け取り、プリント用画像データ及びプレビュー用画像データを生成する。
【００４０】
タッチパネル４２は、利用者が視認可能な情報を表示する。出力処理部４０３は、タッチパネル４２における情報表示に必要なデータ処理を行う。また、タッチパネル４２は、利用者の操作を検出する。入力処理部４０２は、ユーザ操作に応じたデータ処理を行う。タッチパネル４２の代わりに、情報を表示するディスプレイと、利用者の操作を受け付ける操作ボタン等を設けてもよい。
【００４１】
スピーカ４３は、音声案内等を出力する。出力処理部４０３は、スピーカ４３が発する音声を生成するためのデータ処理を行う。
【００４２】
読取機４４は、利用者が所持するチケットＴに印字された二次元コードＱを読み取り、識別情報を取得する。
【００４３】
出力処理部４０３は、タッチパネル４２に、チケットＴの所有を問う画面を表示する。利用者から、タッチパネル４２を介して、チケットＴを持っていないという回答が入力されると、コード生成部４０４が識別情報を生成する。
【００４４】
例えば、コード生成部４０４は、撮影スポットを示す情報、カメラ４１の号機番号、日時等を組み合わせて、識別情報を生成する。コード生成部４０４は、識別情報を含むダウンロードサイトのＵＲＬを示す二次元コードを生成する。
【００４５】
また、コード生成部４０４は、ダウンロードサイトログイン用のパスコードを生成する。
【００４６】
発券機４５は、コード生成部４０４により生成された二次元コード及びパスコードを用紙に印字して、図２に示すようなチケットＴを発券する。
【００４７】
通信部４０５は、コード生成部４０４が生成した識別情報及びパスコード、又は読取機４４が読み取った識別情報と、プリント画像データ及びプレビュー画像データとをサーバ１０へ送信する。
【００４８】
カメラ４１が高所などの離れた位置に設置されている場合、撮影システム４０は、音声やタッチパネル４２の表示等によりカメラ４１の位置をユーザに教え、カメラ４１の方を向くように指示してもよい
【００４９】
撮影システム４０は、カメラ４１で撮影した画像をタッチパネル４２に表示して、撮り直しを行うか利用者に確認するようにしてもよい。
【００５０】
撮影システム４０は、利用者の撮影、チケットＴの二次元コードＱの読み取り、及びチケットＴの発券ができるものであればよく、図４、図５に示す構成に限定されない。例えば、カメラ４１は、カメラマンに操作されるものでもよい。また、カメラ４１、タッチパネル４２、読取機４４等を搭載し、利用者と会話を行うことができるロボットを用いてもよい。
【００５１】
撮影スポットにおける撮影システム４０の処理を図６に示すフローチャートを用いて説明する。
【００５２】
利用者が、パーク内を散策し、撮影スポットを見つけて近付くと、タッチパネル４２にチケットＴを所有しているか否かの質問画面が表示される。利用者が既に他の撮影スポットで撮影を行い、チケットＴを所有している場合（ステップＳ１＿Ｙｅｓ）、撮影システム４０は、タッチパネル４２やスピーカ４３を用いて、チケットＴを読取機４４にかざすように指示する。
【００５３】
利用者がチケットＴを読取機４４にかざすと、読取機４４が二次元コードＱを読み取り、識別情報を取得する（ステップＳ２）。撮影システム４０は、カメラ４１を用いて利用者を撮影する（ステップＳ３）。
【００５４】
利用者がチケットＴを所有していない場合（ステップＳ１＿Ｎｏ）、撮影システム４０は、カメラ４１を用いて利用者を撮影する（ステップＳ４）。撮影後、コード生成部４０４が識別情報やパスコードを生成し（ステップＳ５）、発券機４５がチケットＴを発券する（ステップＳ６）。利用者は、発券されたチケットＴを持って、他の撮影スポットで撮影を行うことができる。
【００５５】
画像処理部４０１が、ステップＳ３又はＳ４で撮影を行ったカメラ４１から撮影画像データを受け取り、プリント用画像データ及びプレビュー用画像データを生成する（ステップＳ７）。
【００５６】
通信部４０５が、プリント用画像データ及びプレビュー用画像データと識別情報（及びパスコード）とをサーバ１０へ送信する（ステップＳ８）。
【００５７】
このようにして、撮影システム４０は、チケットＴの読み取り又は発券、利用者の撮影、サーバ１０への撮影画像データの転送等を行う。
【００５８】
図７は画像販売装置５の斜視図であり、図８は画像販売装置５のブロック構成図である。画像販売装置５は、第１タッチパネル５１Ａ、第２タッチパネル５１Ｂ、課金部５２、読取部５３、ＣＰＵ５４、記憶部５５、通信処理部５６、及びプリンタ５７を有する。
【００５９】
第１タッチパネル５１Ａは筐体５０の天板５０Ａ部分に設けられ、第２タッチパネル５１Ｂは筐体５０の上部に設けられている。第１タッチパネル５１Ａへの入力操作を行い易いように、天板５０Ａ及び第１タッチパネル５１Ａの画面は、手前側が低く奥側が高くなるようにやや傾斜している。第２タッチパネル５１Ｂのディスプレイ画面は、略垂直に立った状態となっている。第１タッチパネル５１Ａと第２タッチパネル５１Ｂのディスプレイ画面は同程度の大きさとなっている。タッチパネルの数は２個に限定されず、１個でもよいし、３個以上でもよい。
【００６０】
第１タッチパネル５１Ａ及び第２タッチパネル５１Ｂは、画像を含む情報を表示したり、利用者から各種指示の入力を受け付けたりする。例えば、第１タッチパネル５１Ａ又は第２タッチパネル５１Ｂは、購入する画像の選択を受け付ける注文画面を表示する。
【００６１】
課金部５２は、筐体５０の前面側に設けられた硬貨投入口５２Ａ、紙幣投入口５２Ｂ、釣銭返却口５２Ｃを有し、硬貨投入口５２Ａ及び紙幣投入口５２Ｂから投入された貨幣を識別計数し、釣銭を釣銭返却口５２Ｃから放出する。また、課金部５２は、電子マネーによる決済機能を有していてもよい。また、課金部５２は、注文内容、請求金額、投入金額、釣銭額等をレシートに印字して出力するレシートプリンタを有していてもよい。
【００６２】
読取部５３は、チケットＴにプリントされた二次元コードＱから、識別情報を読み取る。
【００６３】
通信処理部５６は、サーバ１０と通信を行い、読取部５３が読み取った識別情報をサーバ１０に送信し、この識別情報に対応する画像データを受信する。
【００６４】
プリンタ５７は、昇華型又はインクジェット型などの高解像度カラープリンタであり、注文内容に基づいて、画像データを印画紙にプリントして出力する。プリンタ５７は筐体５０内に収容されている。プリンタ５７は複数台設置されていてもよい。図７に示すように、筐体５０の前面側には、透明な開閉扉５０Ｂが開閉自在に設けられている。開閉扉５０Ｂの裏面側には、プリンタ５７がプリント出力したプリント物が集積される集積部（図示せず）が設けられており、開閉扉５０Ｂを開けると集積部に集積されたプリント物を取り出せるようになっている。
【００６５】
記憶部５５は、メインメモリや、制御プログラム及び画像販売プログラムを格納するハードディスクドライブを含む。ＣＰＵ５４は、制御プログラムを実行することで、画像販売装置５の各部の動作を制御する制御部５４Ａとして機能する。
【００６６】
また、ＣＰＵ５４が画像販売プログラムを実行することで、図９に示すように画像取得部５０１、注文処理部５０２、購入画像通知部５０３、及びプリント処理部５０４が実現される。
【００６７】
画像取得部５０１は、読取部５３が読み取った識別情報をサーバ１０に送信し、この識別情報に対応するプレビュー用画像データを取得する。また、画像取得部５０１は、購入された画像に対応するプリント用画像データをサーバ１０から取得する。
【００６８】
注文処理部５０２は、プレビュー用画像データを用いて注文画面を作成して第１タッチパネル５１Ａ等に表示し、画像の購入注文を受け付け、課金部５２を用いて決済を行う。
【００６９】
購入画像通知部５０３は、通信処理部５６を用いて、利用者に購入された画像（画像のファイル名等）をサーバ１０に通知する。
【００７０】
プリント処理部５０４は、プリンタ５７を制御し、サーバ１０から取得したプリント用画像データのプリント出力を行う。
【００７１】
図１０は、画像販売装置５を用いて利用者が画像を購入する流れを説明するフローチャートである。
【００７２】
利用者は、フォトラリーを終了すると、管理センタ１に戻り、画像販売装置５の読取部５３にチケットＴをかざし、二次元コードＱを読み取らせる（ステップＳ１０）。読取部５３は、二次元コードＱを読み取り、識別情報を取得する。利用者が複数枚のチケットＴを所有している場合は、全てのチケットＴの二次元コードＱを読み取らせる（ステップＳ１１）。
【００７３】
通信処理部５６が、ステップＳ１０で取得した識別情報をサーバ１０に通知する（ステップＳ１２）。
【００７４】
サーバ１０は、画像販売装置５から識別情報を受信すると、記憶部１５を検索して、識別情報に対応するプレビュー用画像データを取り出し、画像販売装置５へ送信する。画像販売装置５は、プレビュー用画像を取得すると（ステップＳ１３）、注文画面を作成し、第１タッチパネル５１Ａ（又は第２タッチパネル５１Ｂ）に画像を選択可能に表示する（ステップＳ１４）。
【００７５】
画像販売装置５は、注文画面を介して、画像の購入注文を受け付ける（ステップＳ１５）。
【００７６】
利用者が注文を完了すると、課金処理が行われ、投入貨幣の計数、釣銭の出金、レシートの印字等を行う（ステップＳ１６）。
【００７７】
購入画像通知部５０３が、通信処理部５６を用いて、利用者に購入された画像をサーバ１０に通知する（ステップＳ１７）。サーバ１０は、通知された購入画像に対応するプリント用画像データを画像販売装置５へ送信する。サーバ１０は、通知された購入画像について、記憶部１５内のプリント用画像データにフラグを立て、ダウンロード可能データとして設定する。
【００７８】
プリント処理部５０４は、サーバ１０から受信したプリント用画像データをプリンタ５７へ転送し、プリントを実行させる（ステップＳ１９）。利用者は、出力されたプリント物を受け取る。
【００７９】
画像の購入処理後、利用者は、スマートフォン等のユーザ端末を用いてチケットＴの二次元コードＱを読み取り、ＵＲＬ情報を用いてサーバ１０にアクセスする。ＵＲＬは識別情報を含むため、サーバ１０は、アクセスしてきた利用者の識別情報を取得することができる。
【００８０】
サーバ１０は、記憶部１５を検索し、アクセスしてきた利用者の画像データのうち、ダウンロード可能になっている画像データを抽出する。サーバ１０は、画像データダウンロード画面を作成する。利用者が、ダウンロード画面からダウンロードを指示すると、サーバ１０は、画像データ（プリント用画像データ）をユーザ端末へ転送する。
【００８１】
このように、画像販売装置５により、フォトラリーで撮影した画像のプリント物の購入と画像データの購入とを行うことができる。
【００８２】
各撮影システム４０では、チケットＴをかざし、二次元コードＱを読み取らせる度に撮影を行うことができる。従って、利用者は、１個（１ヶ所）の撮影システム４０で、複数回の撮影を行うことができる。サーバ１０は、撮影システム４０から受信した画像データを、利用者の識別情報と共に、撮影システム４０（撮影スポット）を特定する情報と紐付けて、記憶部１５に格納してもよい。
【００８３】
上記実施形態では、プリント物と画像データとをセット販売とし、画像を選択することで、プリント物と画像データの両方の購入が行える例について説明したが、少なくとも１画像のプリント物を購入することで、全画像データのダウンロードが可能となるようにしてもよい。
【００８４】
プリント物が購入された画像と同じ撮影システム４０（撮影スポット）で撮影された全ての画像データがダウンロード可能となるようにしてもよい。また、プリント物は購入せず、画像データの購入のみ行えるようにしてもよい。
【００８５】
上記実施形態において、チケットＴを発行する発券機４５を入場ゲート等に設け、チケットＴを入場時に配布してもよい。上記実施形態では、利用者がチケットＴを所持していない場合、撮影後にチケットＴを発券していたが、撮影前にチケットＴを発券し、チケットＴを読取機４４にかざして撮影を行ってもよい。
【００８６】
上記実施形態では、各撮影システム４０で識別情報を生成していたが、撮影システム４０からの要求に応じてサーバ１０が識別情報を生成し、生成した識別情報を撮影システム４０に通知してもよい。
【００８７】
上記実施形態では、プレビュー用画像の生成等の画像処理を各撮影システム４０で行っていたが、サーバ１０で行ってもよい。但し、サーバ１０の処理負荷を考慮すると、画像処理は各撮影システム４０で行うことが好ましい。
【００８８】
観光地やテーマパークにおいて、複数のイベント会場で異なるフォトラリーが実施され、イベント会場毎に、販売価格の設定が異なる画像販売装置５が設置されることがある。例えば、イベントＡを行う第１会場に設置された画像販売装置５Ａはプリント物が１枚１００円、イベントＢを行う第２会場に設置された画像販売装置５Ｂはプリント物が１枚２００円と設定される。第２会場でフォトラリーを行った利用者が、第１会場に設置された画像販売装置５Ａで安価に画像購入することを防止するために、識別情報にイベントＩＤを組み込むことが好ましい。
【００８９】
第１会場の撮影システム４０が生成する識別情報には、イベントＡを示すＩＤが含まれるようにする。第２会場の撮影システム４０が生成する識別情報には、イベントＢを示すＩＤが含まれるようにする。第１会場に設置された画像販売装置５ＡがチケットＴの二次元コードＱを読み取り、取得した識別情報内のイベントＩＤがイベントＡを示すものでない場合、画像販売装置５Ａはエラーを表示し、注文を受け付けないようにする。
【００９０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９１】
１  管理センタ
５  画像販売装置
１０  サーバ
４０  撮影システム
【図１】
2019061445.tif 000003
【図２】
2019061445.tif 000004
【図３】
2019061445.tif 000005
【図４】
2019061445.tif 000006
【図５】
2019061445.tif 000007
【図６】
2019061445.tif 000008
【図７】
2019061445.tif 000009
【図８】
2019061445.tif 000010
【図９】
2019061445.tif 000011
【図１０】
2019061445.tif 000012